【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
撮影レンズを通して被写体像を所定の撮影条件で撮像する撮像手段と、
カメラの位置を検出して位置情報を生成する位置情報生成手段と、
少なくとも主要被写体の位置を示す情報、および前記主要被写体に対する撮影可否を示す情報を含み、前記主要被写体側から送信される被写体情報を受信する受信手段と、
前記位置情報生成手段によるカメラの位置、前記受信した被写体情報が示す前記主要被写体の位置、および設定されている撮影条件を用いて、前記主要被写体を撮影範囲に含むか否かを判定する判定手段と、
前記受信した被写体情報が示す前記撮影可否、および前記判定手段による判定結果に応じて撮影動作を制御する制御手段とを備えることを特徴とするカメラ。
【請求項２】
請求項１に記載のカメラにおいて、
前記制御手段は、(1)前記被写体情報が撮影可を示す、もしくは前記判定手段が前記主要被写体を撮影範囲に含まないと判定したとき、設定されている撮影条件による撮影を指示し、(2)前記被写体情報が撮影否を示すとともに、前記判定手段が前記主要被写体を撮影範囲に含むと判定したとき、撮影禁止と、撮影不可を示す表示と、閃光装置の発光禁止と、前記記録禁止と、前記設定されている撮影条件のうちズーム倍率の変更、絞り値の変更、およびシャッタ速度の変更の少なくとも１つと、の中から少なくとも１つを行うように指示することを特徴とするカメラ。
【請求項３】
請求項２に記載のカメラにおいて、
前記制御手段は、前記ズーム倍率の変更、および前記シャッタ速度の変更のいずれかを指示するとき、手持ち撮影時に手ブレが生じるようにそれぞれの変更量を指示することを特徴とするカメラ。
【請求項４】
請求項２または３に記載のカメラにおいて、
前記制御手段は、前記絞り値の変更を指示するとき、前記主要被写体を被写界深度外へ外すように変更量を指示することを特徴とするカメラ。
【請求項５】
請求項２〜４のいずれか一項に記載のカメラにおいて、
前記制御手段は、前記ズーム倍率の変更を光学ズーム倍率の変更によって行う場合に前記主要被写体を撮影画角外へ外すように変更量を指示し、前記ズーム倍率の変更を電子ズーム倍率の変更によって行う場合に前記主要被写体の解像度を落とすように変更量を指示することを特徴とするカメラ。
【請求項６】
少なくとも主要被写体の位置を示す情報および撮影可否を示す情報を含む被写体情報を送信する被写体情報送信手段と、
請求項１〜５のいずれか一項に記載のカメラとを備えることを特徴とするカメラシステム。
【請求項７】
撮影レンズを通して被写体像を撮像する撮像手段と、
データを記録媒体に記録する記録手段と、
少なくとも主要被写体に対する撮影可否を示す情報を含み、前記主要被写体側から送信される被写体情報を受信する受信手段と、
前記受信した撮影可否情報に応じて撮影処理の実施／不実施を決定する制御手段と、
前記受信した被写体情報を前記記録媒体に記録するように前記記録手段に指示する被写体情報記録指示手段とを備えることを特徴とするカメラ。
【請求項８】
少なくとも撮影可否を示す情報を含む被写体情報を送信する被写体情報送信手段と、
請求項７に記載のカメラとを備えることを特徴とするカメラシステム。
【請求項９】
請求項６または８に記載のカメラシステムにおいて、
前記カメラは、当該カメラを特定するために必要な情報を送信する特定情報送信手段をさらに備え、
前記被写体情報送信手段は、前記特定情報送信手段によるカメラ特定情報に応じて、前記主要被写体を特定するために必要な情報をさらに含めて前記被写体情報を送信することを特徴とするカメラシステム。
【請求項１０】
請求項９に記載のカメラシステムにおいて、
前記撮影可否を示す情報は、時刻、場所、および前記カメラ特定情報ごとに設定されることを特徴とするカメラシステム。
【請求項１１】
請求項９に記載のカメラシステムにおいて、
前記カメラが送信する情報には、前記カメラの識別番号と撮影許可を得るための条件が含まれることを特徴とするカメラシステム。
【請求項１２】
請求項６、８〜１０のいずれか一項に記載のカメラシステムにおいて、
前記主要被写体から送信される情報には、前記被写体の識別番号と撮影許可に関する条件が含まれることを特徴とするカメラシステム。
【請求項１３】
請求項１１に記載のカメラシステムにおいて、
前記主要被写体から送信される情報には、前記被写体の識別番号と撮影許可に関する条件が含まれることを特徴とするカメラシステム。
【請求項１４】
請求項１３に記載のカメラシステムにおいて、
前記撮影許可に関する条件は、無条件で撮影を許可、撮影拒否、条件により撮影許可のいずれかの条件であることを特徴とするカメラシステム。
【請求項１５】
請求項１４に記載のカメラシステムにおいて、
前記条件は、前記カメラの識別番号に応じて送信されることを特徴とするカメラシステム。
【請求項１６】
請求項１〜５のいずれか一項に記載のカメラにおいて、
前記判定手段は、前記カメラの方位と前記主要被写体との方位を用いて前記主要被写体を撮影範囲に含むか否かを判定することを特徴とするカメラ。
【請求項１７】
請求項１〜５のいずれか一項に記載のカメラにおいて、
前記撮像手段で撮像した画像を表示する表示部を有し、
撮像前に、前記表示部に前記主要被写体の撮像可否を表示することを特徴とするカメラ。
【請求項１８】
請求項６、８〜１５のいずれか一項に記載のカメラシステムにおいて、
前記カメラはインターネットに接続するための通信部を有し、
前記主要被写体から送信される情報は、インターネットに接続された外部装置に記憶され、前記外部装置から前記カメラへ送信されることを特徴とするカメラシステム。
【請求項１９】
請求項７に記載のカメラにおいて、
前記被写体情報記録指示手段は、前記主要被写体を撮影した場合、撮影画像と前記受信した被写体情報を関連づけて記録することを特徴とするカメラ。
【手続補正２】
【補正対象書類名】明細書
【補正対象項目名】０００５
【補正方法】変更
【補正の内容】
【０００５】
（１）請求項１に記載の発明によるカメラは、撮影レンズを通して被写体像を所定の撮影条件で撮像する撮像手段と、カメラの位置を検出して位置情報を生成する位置情報生成手段と、少なくとも主要被写体の位置を示す情報、および主要被写体に対する撮影可否を示す情報を含み、主要被写体側から送信される被写体情報を受信する受信手段と、位置情報生成手段によるカメラの位置、受信した被写体情報が示す主要被写体の位置、および設定されている撮影条件を用いて、主要被写体を撮影範囲に含むか否かを判定する判定手段と、受信した被写体情報が示す撮影可否、および判定手段による判定結果に応じて撮影動作を制御する制御手段とを備えることを特徴とする。
（２）制御手段は、(1)被写体情報が撮影可を示す、もしくは判定手段が主要被写体を撮影範囲に含まないと判定したとき、設定されている撮影条件による撮影を指示し、(2)被写体情報が撮影否を示すとともに、判定手段が主要被写体を撮影範囲に含むと判定したとき、撮影禁止と、撮影不可を示す表示と、閃光装置の発光禁止と、記録禁止と、設定されている撮影条件のうちズーム倍率の変更、絞り値の変更、およびシャッタ速度の変更の少なくとも１つと、の中から少なくとも１つを行うように指示することもできる。
（３）制御手段は、ズーム倍率の変更、およびシャッタ速度の変更のいずれかを指示するとき、手持ち撮影時に手ブレが生じるようにそれぞれの変更量を指示することもできる。
（４）制御手段は、絞り値の変更を指示するとき、主要被写体を被写界深度外へ外すように変更量を指示することもできる。
（５）制御手段は、ズーム倍率の変更を光学ズーム倍率の変更によって行う場合に主要被写体を撮影画角外へ外すように変更量を指示し、ズーム倍率の変更を電子ズーム倍率の変更によって行う場合に主要被写体の解像度を落とすように変更量を指示することもできる。
（６）請求項６に記載の発明によるカメラシステムは、少なくとも主要被写体の位置を示す情報および撮影可否を示す情報を含む被写体情報を送信する被写体情報送信手段と、請求項１〜５のいずれか一項に記載のカメラとを備えることを特徴とする。
（７）請求項７に記載の発明によるカメラは、撮影レンズを通して被写体像を撮像する撮像手段と、データを記録媒体に記録する記録手段と、少なくとも主要被写体に対する撮影可否を示す情報を含み、主要被写体側から送信される被写体情報を受信する受信手段と、受信した撮影可否情報に応じて撮影処理の実施／不実施を決定する制御手段と、受信した被写体情報を記録媒体に記録するように記録手段に指示する被写体情報記録指示手段とを備えることを特徴とする。
（８）請求項８に記載の発明によるカメラシステムは、少なくとも撮影可否を示す情報を含む被写体情報を送信する被写体情報送信手段と、請求項７に記載のカメラとを備えることを特徴とする。
（９）請求項６または８に記載のカメラシステムにおいて、カメラはさらに、当該カメラを特定するために必要な情報を送信する特定情報送信手段を備えてもよく、この場合の被写体情報送信手段は、特定情報送信手段によるカメラ特定情報に応じて、主要被写体を特定するために必要な情報をさらに含めて被写体情報を送信することもできる。
（１０）カメラシステムにおいて撮影可否を示す情報は、時刻、場所、およびカメラ特定情報ごとに設定してもよい。
（１１）請求項９に記載のカメラシステムにおいて、カメラが送信する情報には、カメラの識別番号と撮影許可を得るための条件が含まれることが好ましい。
（１２）請求項６、８〜１０のいずれか一項に記載のカメラシステムにおいて、主要被写体から送信される情報には、被写体の識別番号と撮影許可に関する条件が含まれることが好ましい。
（１３）請求項１１に記載のカメラシステムにおいて、主要被写体から送信される情報には、被写体の識別番号と撮影許可に関する条件が含まれることが好ましい。
（１４）請求項１３に記載のカメラシステムにおいて、撮影許可に関する条件は、無条件で撮影を許可、撮影拒否、条件により撮影許可のいずれかの条件であることが好ましい。
（１５）請求項１４に記載のカメラシステムにおいて、条件は、カメラの識別番号に応じて送信されることが好ましい。
（１６）請求項１〜５のいずれか一項に記載のカメラにおいて、判定手段は、カメラの方位と主要被写体との方位を用いて主要被写体を撮影範囲に含むか否かを判定することもできる。
（１７）請求項１〜５のいずれか一項に記載のカメラはさらに、撮像手段で撮像した画像を表示する表示部を有し、撮像前に、表示部に主要被写体の撮像可否を表示することもできる。
（１８）請求項６、８〜１５のいずれか一項に記載のカメラシステムにおいて、カメラはインターネットに接続するための通信部を有し、主要被写体から送信される情報は、インターネットに接続された外部装置に記憶され、外部装置からカメラへ送信されることが好まし。
（１９）請求項７に記載のカメラにおいて、被写体情報記録指示手段は、主要被写体を撮影した場合、撮影画像と受信した被写体情報を関連づけて記録することもできる。
【手続補正３】
【補正対象書類名】明細書
【補正対象項目名】００７５
【補正方法】削除
【補正の内容】